(57)【要約】      （修正有）【課題】組み立てが容易で、生産性を高め、生産コストを節減できる傘の骨の構造を提供する。【解決手段】ろくろ１，４と、補助骨２とを含む傘の骨の構造であって、下ろくろ１は中棒３を摺動自在に挿入し、かつ該下ろくろと中ろくろ４との間に弾性体５を設け、該補助骨２の外側の一端は、はと目を介して受骨６のダボに接続し、該補助骨の内側の一端には掛止部を形成し、該下ろくろ上端の外周には、下向きに開口が形成された掛止溝１１を形成し、該掛止部を掛止溝１１に掛止して該補助骨２を取り付ける。【選択図】図１
0003160369.tif 000002
【実用新案登録請求の範囲】
【請求項１】
下ろくろと、補助骨とを含む傘の骨の構造であって、該下ろくろは中棒を摺動自在に挿入し、かつ該下ろくろと該中ろくろとの間に弾性体を設け、該補助骨の外側の一端は、はと目を介して受骨のダボに接続し、
該補助骨の内側の一端には掛止部を形成し、該下ろくろ上端の外周には、下向きに開口が形成された掛止溝を形成し、該掛止部を掛止溝に掛止して該補助骨を取り付けることを特徴とする環境保全タイプの傘の骨の構造。
【請求項２】
前記補助骨の一端に形成する掛止部の断面がＵ字状を呈し、該下ろくろの外周に形成する掛止溝は、該下ろくろと一体に形成され、かつ外側が湾曲したフック部の内側に形成されることを特徴とする請求項１に記載の環境保全タイプの傘の骨の構造。
【考案の詳細な説明】
【技術分野】
【０００１】
この考案は傘に関し、特に環境保全の観念に沿い、着脱自在な傘の骨の構造に関する。
【背景技術】
【０００２】
傘は雨などが直に当たらないよう防ぐための道具である。傘を開く動作から分けると、手動で開く傘と、ジャンプ傘、もしくはワンタッチ傘とも称し、バネの力を利用して自動的に開く傘とに分けることができる。
【０００３】
一般に、手動で開く傘は、上ろくろと、下ろくろと、中棒と、傘の骨を含んでなる。
ジャンプ傘の構造は、さらに中ろくろと、中ろくろと下ろくろとの間に設ける弾性体とを含む。上ろくろは中棒の上端に固定し、下ろくろは中棒を上下に移動するように、中棒に摺動自在に挿入する。
【０００４】
傘が開く動作は、下ろくろが中棒に沿って上方に移動し、下ろくろ、もしくは中ろくろに接続した受骨が親骨を押し広げ、親骨が傘布を広げる。
【０００５】
ジャンプ傘の場合は、受骨が中ろくろに接続し、下ろくろと受骨との間に補助骨を接続する。かかる構造の従来のジャンプ傘は、補助骨を下ろくろに接続する場合は、通常針金などの線材を通して縛る。下ろくろには線材を収納する溝が形成される。
【０００６】
上述する構造は、組み立てが容易ではない。よって、アセンブリーにおける効率が低いという欠点がある。即ち、生産性を高めることができない。しかも、前記線材は、針金などの金属材によってなるものであって、使用者を傷つける恐れがあり、安全面からも不安がある。
【考案の概要】
【考案が解決しようとする課題】
【０００７】
この考案は、組み立てが容易で、生産性を高め、生産コストを節減できる傘の骨の構造を提供することを課題とする。
【０００８】
また、この考案は、金属材による線材の使用を減少させることで、環境保全に寄与し、かつ安全性を高めることのできる傘の骨の構造を提供することを課題とする。
【課題を解決するための手段】
【０００９】
そこで、本考案者は従来の技術に見られる欠点に鑑み鋭意研究した結果、ろくろと、補助骨とを含む傘の骨の構造であって、該下ろくろは中棒を摺動自在に挿入し、かつ該下ろくろと該中ろくろとの間に弾性体を設け、該補助骨の外側の一端は、はと目を介して受骨のダボに接続し該補助骨の内側の一端には掛止部を形成し、該下ろくろ上端の外周には、下向きに開口が形成された掛止溝を形成し、該掛止部を掛止溝に掛止して該補助骨を取り付けてなる傘の骨の構造によって課題を解決できる点に着眼し、かかる知見に基づいて本考案を完成させた。
【００１０】
以下この考案について具体的に説明する。
請求項１に記載する傘の骨の構造は、下ろくろと、補助骨とを含む傘の骨の構造であって、該下ろくろは中棒を摺動自在に挿入し、かつ該下ろくろと該中ろくろとの間に弾性体を設け、該補助骨の外側の一端は、はと目を介して受骨のダボに接続し、
該補助骨の内側の一端には掛止部を形成し、該下ろくろ上端の外周には、下向きに開口が形成された掛止溝を形成し、該掛止部を掛止溝に掛止して該補助骨を取り付ける
【００１１】
請求項２に記載する傘の骨の構造は、請求項１における補助骨の一端に形成する掛止部の断面がＵ字状を呈し、該下ろくろ１の外周に形成する掛止溝は、該下ろくろと一体に形成され、かつ外側が湾曲したフック部の内側に形成される。
【考案を実施するための形態】
【００１２】
この考案は、組み立てが容易で、生産性を高め、生産コストを節減できる傘の骨の構造を提供するものであって、ろくろと、補助骨とを含む傘の骨の構造であって、該下ろくろは中棒を摺動自在に挿入し、かつ該下ろくろと該中ろくろとの間に弾性体を設け、該補助骨の外側の一端は、はと目を介して受骨のダボに接続し該補助骨の内側の一端には掛止部を形成し、該下ろくろ上端の外周には、下向きに開口が形成された掛止溝を形成し、該掛止部を掛止溝に掛止して該補助骨を取り付けて構成する。
かかる傘の骨の構造と特徴を詳述するために、具体的な実施例を挙げ、図面を参考にして以下に説明する。
【００１３】
図１から３に開示するように、この考案の実施の形態の好ましい例を開示する。図面によれば、ジャンプ傘に応用する傘の骨の構造であって、下ろくろ１と、補助骨２とを含む。下ろくろ１は中棒３を摺動自在に挿入する。下ろくろ１の上端と中ろくろ４との間には弾性体５を設ける。
【００１４】
補助骨２の外側の一端は、はと目を介して受骨６のダボに接続する。受骨６の内側の一端は中ろくろ４に回動自在に接続する。受骨６の外側の一端は親骨７の先ダボに回動自在に接続する。親骨７の内側の一端は上ろくろ８に回動自在に接続する。上ろくろは中棒８の上端に近接した位置に固定する。
【００１５】
補助骨２の内側の一端には掛止部２１を形成し、下ろくろ１上端の外周には、下向きに開口が形成された掛止溝１１を形成し、補助骨２を取り付ける場合は掛止部２１を掛止溝１１に掛止する。
【００１６】
図面に開示するように、補助骨２の一端に形成する掛止部２１は断面がＵ字状を呈し、鋼線を湾曲させて形成するか、もしくはプレス加工などの方法で作製する。下ろくろ１の外周に形成する掛止溝１１は外側が湾曲したフック部１２によって形成される。即ち、掛止溝１１はフック部の内側に形成される。フック部１２と下ろくろ１は一体に形成する。掛止溝１１の内部底面は、円弧を描くように形成される。よって、傘を開閉するとき、補助骨２と掛溝１１との間で円滑に回転がなされる。
【００１７】
図２、３に開示するように、この考案による傘の骨の構造を組み立てるか、もしくは分解する場合は、先ず下ろくろ１を中ろくろ４の方向に押して近接させる。この場合、弾性体５は圧力を受けて圧縮する。
【００１８】
次いで、補助骨２の掛止部２１を下ろくろ１の外周に形成した掛止溝１１に掛止する。分解する場合は掛止部２１を掛止溝１１から外す。
【００１９】
補助骨２の掛止部２１を下ろくろ１の外周に形成した掛止溝１１に掛止した後、下ろくろ１を押し上げる力を解放する。このため、弾性部材５の付勢力によって下ろくろ１が中ろくろ４から離れる。しかも、中ろくろ４と、下ろくろ１は互いに離れる方向に移動する。このため、掛止部２１は下ろくろ１の外周に形成した掛止溝１１内に、完全に位置決めされ、掛止が緩むことはない。即ち、補助骨２と、下ろくろ１との組み立てが完成する。
【００２０】
上述する組み立ては、従来の技術に見られるように線材を通して縛る必要がなく、作業時間を短縮し、作業の効率を高めることができる。しかも、好ましい構造上の強度を具え、回動自在に接続した部分は円滑な動作を提供し、傘を使用する上での利便性を高める。言い換えれば、構造が簡単で、容易に組み立てることができ、製造コストを節減することができる。
【００２１】
また、金属による線材の使用を減少することによって、使用者を傷つける恐れを低減させ、使用上の安全性が得られる。
【００２２】
以上は、この考案の好ましい実施例であって、この考案の実施の範囲を限定するものではない。よって、当業者のなしえる修正、もしくは変更であって、この考案の精神の下においてなされ、かつこの考案に対して均等の効果を有するものは、いずれものこの考案の実用新案登録請求の範囲に含まれるものとする。
【図面の簡単な説明】
【００２３】
【図１】この考案による傘の骨の構造を示した説明図である。
【図２】この考案における補助骨の取り外しの動作を示した説明図である。
【図３】この考案における補助骨の取り外しの動作を示した他の説明図である。
【符号の説明】
【００２４】
１       下ろくろ
１１     掛止溝
１２     フック部
２       補助骨
２１     掛止部
３       中棒
４       中ろくろ
５       弾性体
６       受骨
７       親骨
【図１】
0003160369.tif 000003
【図２】
0003160369.tif 000004
【図３】
0003160369.tif 000005
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
下ろくろと、補助骨とを含む傘の骨の構造であって、該下ろくろは中棒を摺動自在に挿入し、かつ該下ろくろと中ろくろとの間に弾性体を設け、該補助骨の外側の一端は、はと目を介して受骨のダボに接続し、
該補助骨の内側の一端には掛止部を形成し、該下ろくろ上端の外周には、下向きに開口が形成された掛止溝を形成し、該掛止部を掛止溝に掛止して該補助骨を取り付けることを特徴とする環境保全タイプの傘の骨の構造。
【請求項２】
前記補助骨の一端に形成する掛止部の断面がＵ字状を呈し、該下ろくろの外周に形成する掛止溝は、該下ろくろと一体に形成され、かつ外側が湾曲したフック部の内側に形成されることを特徴とする請求項１に記載の環境保全タイプの傘の骨の構造。